(57)【特許請求の範囲】
【請求項１】
管理対象物に関する所定の管理情報を記憶する記憶部を備えた非接触型記憶媒体と、
前記非接触型記憶媒体を構成する本体部の少なくとも２箇所にそれぞれ設けられた一対の結線ガイド部材と、
前記一対の結線ガイド部材を介して、前記非接触型記憶媒体を前記管理対象物の所定の部位に固定する結線部材と、
を備え、
前記結線ガイド部材の径寸法は、前記結線部材の径寸法よりも大きな径寸法を有する中空状の棒状部材であることを特徴とする非接触型記憶媒体の取り付け構造。
【請求項２】
前記結線ガイド部材は、アンテナ部材により構成されることを特徴とする請求項１に記載の非接触型記憶媒体の取り付け構造。
【請求項３】
前記結線ガイド部材は、任意の方向に屈曲自在な材料で形成されることを特徴とする請求項１または２に記載の非接触型記憶媒体の取り付け構造。
【請求項４】
前記結線部材は、前記結線ガイド部材を介して、前記管理対象物の所定部位に２以上のループまたは半ループを形成するように取り付けられることを特徴とする請求項１、２または３に記載の非接触型記憶媒体の取り付け構造。
【請求項５】
管理対象物に関する所定の管理情報を記憶部に記憶する非接触型記憶媒体と、
前記非接触型記憶媒体を内部に収納する非接触型記憶媒体ホルダの少なくとも２箇所にそれぞれ設けられた一対の結線ガイド部材と、
前記一対の結線ガイド部材を介して、前記非接触型記憶媒体ホルダを前記管理対象物の所定の部位に固定する結線部材と、
を備え、
前記結線ガイド部材の径寸法は、前記結線部材の径寸法よりも大きな径寸法を有する中空状の棒状部材であることを特徴とする非接触型記憶媒体ホルダの取り付け構造。
【請求項６】
前記結線ガイド部材は、アンテナ部材により構成されることを特徴とする請求項５に記載の非接触型記憶媒体ホルダの取り付け構造。
【請求項７】
前記結線ガイド部材は、任意の方向に屈曲自在な材料で形成されることを特徴とする請求項５または６に記載の非接触型記憶媒体ホルダの取り付け構造。
【請求項８】
前記結線部材は、前記結線ガイド部材を介して、前記管理対象物の所定部位に２以上のループまたは半ループを形成するように取り付けられることを特徴とする請求項５、６または７に記載の非接触型記憶媒体ホルダの取り付け構造。
【発明の詳細な説明】
【技術分野】
【０００１】
本発明は、管理対象物に関する所定の管理情報を記憶する非接触型記憶媒体の取り付け構造および非接触型記憶媒体ホルダの取り付け構造に関し、特に、非接触型記憶媒体を常時、管理対象物の所定の位置に固定することができる非接触型記憶媒体の取り付け構造および非接触型記憶媒体ホルダの取り付け構造に関する。
【背景技術】
【０００２】
近年、ＩＣタグを利用したＲＦＩＤ（Radio Frequency IDentification）による自動認識システムが広い分野で普及している。このようなＩＣタグの場合、例えば物流分野などでは、管理対象物の所定の部位にＩＣタグを貼り付け固定し、この貼り付け固定されたＩＣタグをリーダライタにより読み取ることで、このＩＣタグに記憶された商品情報、品質情報などの個別情報を取得するとともに、このように取得した個別情報に基づいて商品管理を一元的に行なうようにしている。
【０００３】
ここで、上述したように、従来では、管理対象物の所定の部位にＩＣタグを接着剤や溶接などを使用して取り付け固定することとしていたため、ＩＣタグを取り外す場合、手間がかかるうえ、一度使用したＩＣタグは再利用できないという問題があった。
【０００４】
このような問題点を解決すべく特許文献１には、ＩＣタグを管理対象物に直接貼り付け固定するのではなく、このＩＣタグを内部に収納したＩＣタグホルダに収納し、このＩＣタグホルダを管理対象物に取り付けるＩＣタグの取り付け構造が開示されている。また、特許文献２には、ＩＣタグに金属製のストラップを取り付け、このストラップを管理対象物の取り付け部に取り付けるＩＣタグの取り付け構造が開示されている。
【０００５】
【特許文献１】特開２００７−１６４５６９号公報
【特許文献２】特開２００５−３０１１３６号公報
【発明の開示】
【発明が解決しようとする課題】
【０００６】
ところが、上述したＩＣタグの取り付け構造の場合、以下のような問題がある。すなわち、ＩＣタグに金属製のストラップを取り付け、このストラップを管理対象物の取り付け部に取り付けた場合、ＩＣタグの固定位置が移動してしまうため、位置の規制ができずに、リーダライタとの無線通信が不能となり、この結果、必要な個別情報を取得することができなくなるという問題がある。また、ＩＣタグを収納したＩＣタグホルダを管理対象物に対して貼り付け固定した場合には、管理対象物の大きさやＩＣタグとの位置関係が変化した際に、管理対象物に対するＩＣタグの取り付け位置の調整が困難となるばかりか、この変化に対応できないため、リーダライタとの無線通信ができなくなるなどの問題がある。
【０００７】
そこで、この発明は、上述した従来技術の課題を解決するためになされたものであり、読み取り側（リーダライタ）との通信不良を回避できるとともに、常時、非接触型記憶媒体を管理対象物の所定の位置に配置させることができ、管理対象物の大きさや非接触型記憶媒体との位置関係が変化した場合でも、この非接触型記憶媒体の取り付けを柔軟に且つ、確実に行なうことができる非接触型記憶媒体の取り付け構造および非接触型記憶媒体ホルダの取り付け構造を提供することを目的とする。
【課題を解決するための手段】
【０００８】
上述した問題を解決し、目的を達成するため、本発明は、管理対象物に関する所定の管理情報を記憶する記憶部を備えた非接触型記憶媒体と、前記非接触型記憶媒体を構成する本体部の少なくとも２箇所にそれぞれ設けられた一対の結線ガイド部材と、前記一対の結線ガイド部材を介して、前記非接触型記憶媒体を前記管理対象物の所定の部位に固定する結線部材と、を備えたことを特徴とする。
【０００９】
また、本発明は、前記結線ガイド部材の径寸法は、前記結線部材の径寸法よりも大きな径寸法を有する中空状の棒状部材であることを特徴とする。
【００１０】
また、本発明は、前記結線ガイド部材は、アンテナ部材により構成されることを特徴とする。
【００１１】
また、本発明は、前記結線ガイド部材は、任意の方向に屈曲自在な材料で形成されることを特徴とする。
【００１２】
また、本発明は、前記結線部材は、前記結線ガイド部材を介して、前記管理対象物の所定部位に２以上のループまたは半ループを形成するように取り付けられることを特徴とする。
【００１３】
また、本発明は、管理対象物に関する所定の管理情報を記憶部に記憶する非接触型記憶媒体と、前記非接触型記憶媒体を内部に収納する非接触型記憶媒体ホルダの少なくとも２箇所にそれぞれ設けられた一対の結線ガイド部材と、前記一対の結線ガイド部材を介して、前記非接触型記憶媒体ホルダを前記管理対象物の所定の部位に固定する結線部材と、を備えたことを特徴とする。
【００１４】
また、本発明は、前記結線ガイド部材の径寸法は、前記結線部材の径寸法よりも大きな径寸法を有する中空状の棒状部材であることを特徴とする。
【００１５】
また、本発明は、前記結線ガイド部材は、アンテナ部材により構成されることを特徴とする。
【００１６】
また、本発明は、前記結線ガイド部材は、任意の方向に屈曲自在な材料で形成されることを特徴とする。
【００１７】
また、本発明は、前記結線部材は、前記結線ガイド部材を介して、前記管理対象物の所定部位に２以上のループまたは半ループを形成するように取り付けられることを特徴とする。
【発明の効果】
【００１８】
本発明によれば、非接触型記憶媒体の取り付け構造は、非接触型記憶媒体を構成する本体部の一対となる位置に少なくとも２箇所の位置にそれぞれ設けられた一対の結線ガイド部材と、一対の結線ガイド部材を介して、当該非接触型記憶媒体を管理対象物の所定の部位に固定する結線部材とを備える構成としたので、非接触型記憶媒体を管理対象物の所定位置に容易且つ確実に取り付けることができる。
【００１９】
また、本発明によれば、非接触型記憶媒体に設けた結線ガイド部材の径寸法は、結線部材の径寸法よりも大きな径寸法を有する中空状の棒状部材であるので、結線ガイド部材の内部を挿通する結線部材により非接触型記憶媒体を所定の位置に固定することができるうえ、管理対象物に対する位置の規制および非接触型記憶媒体の取り付け位置の調整を容易に行なうことができる。
【００２０】
また、本発明によれば、結線ガイド部材は、アンテナ部材により構成されるので、結線部材のガイドを行なう結線ガイド部材を無線通信を行なうアンテナ部材としても利用することができる。
【００２１】
また、本発明によれば、結線ガイド部材は、任意の方向に屈曲自在な材料で形成されるので、管理対象物の取り付け部材の位置や他の障害物との位置関係に応じて、結線ガイド部材の任意の方向へ屈曲させることで、非接触型記憶媒体の取り付け位置の調整を容易に行なうことができる。
【００２２】
また、本発明によれば、結線部材は、結線ガイド部材を介して、前記管理対象物の所定部位に２以上のループまたは半ループを形成するように取り付けられので、管理対象物の大きさや非接触型記憶媒体との位置関係が変化した場合でも、管理対象物に対する非接触型記憶媒体の取り付け固定を柔軟に且つ、確実に行なうことができる。
【００２３】
また、本発明によれば、非接触型記憶媒体ホルダの取り付け構造は、非接触型記憶媒体ホルダを構成する本体部の一対となる位置に少なくとも２箇所の位置にそれぞれ設けられた一対の結線ガイド部材と、一対の結線ガイド部材を介して、当該非接触型記憶媒体ホルダを管理対象物の所定の部位に固定する結線部材とを備える構成としたので、非接触型記憶媒体ホルダを管理対象物の所定位置に確実に配置させることができる。
【００２４】
また、本発明によれば、非接触型記憶媒体に設けた結線ガイド部材の径寸法は、結線部材の径寸法よりも大きな径寸法を有する中空状の棒状部材であるので、結線ガイド部材の内部を挿通する結線部材により非接触型記憶媒体ホルダを所定の位置に固定することができるうえ、管理対象物に対する位置の規制および非接触型記憶媒体ホルダの取り付け位置の調整を容易に行なうことができる。
【００２５】
また、本発明によれば、結線ガイド部材は、アンテナ部材により構成されるので、結線部材のガイドを行なう結線ガイド部材を無線通信を行なうアンテナ部材としても利用することができる。
【００２６】
また、本発明によれば、結線ガイド部材は、任意の方向に屈曲自在な材料で形成されるので、管理対象物の取り付け部材の位置や他の障害物との位置関係に応じて、結線ガイド部材の任意の方向へ屈曲させることで、非接触型記憶媒体ホルダの取り付け位置の調整を容易に行なうことができる。
【００２７】
また、本発明によれば、結線部材は、結線ガイド部材を介して、前記管理対象物の所定部位に２以上のループまたは半ループを形成するように取り付けられので、管理対象物の大きさや非接触型記憶媒体との位置関係が変化した場合でも、管理対象物に対する非接触型記憶媒体の取り付けを柔軟に且つ、確実に行なうことができる。
【発明を実施するための最良の形態】
【００２８】
以下に添付図面を参照して、本発明に係るＩＣタグの取り付け構造の好適な実施例について詳細に説明する。先ず、図１を用いて、本実施例１に係るＩＣタグの構成およびＩＣタグの取り付け構造の概要について説明する。図１は、ＩＣタグの構成およびＩＣタグの取り付け構造の概要を示す図である。ここで、図１に示すＩＣタグ１０は、リーダライタにより記憶されている情報を電波を媒介として読み書きする非接触型記憶媒体として説明する。なお、以下に示す実施例１によりこの発明が限定されるものではない。
【実施例１】
【００２９】
［ＩＣタグの全体構成］
図１に示すように、本実施例１に示すＩＣタグ１０は、管理対象物の取り付け部材１、２に巻き付けてＩＣタグ１０を固定するためのワイヤ２０と、このワイヤ２０の両端部を通孔１５、１６を通じて挿通させるとともに、その先端部をそれぞれ固定（カシメ付け固定）するための一対のワイヤガイド１１、１２とから構成されている。
【００３０】
すなわち、本実施例１のＩＣタグの取り付け構造は、ＩＣタグ１０の本体部１０ａの両側面の所定位置（上下位置）から延出する一対のワイヤガイド１１、１２の一端部にワイヤ２０の両端部を固定し（カシメ付け固定）、ワイヤ２０の他端部は、一対のワイヤガイド１１、１２の通孔１５、１６を挿通させることでループ状とし、このループ状となったワイヤ２０と管理対象物に設けられている取り付け部材１、２とを利用して、ＩＣタグ１０を管理対象物の所定の位置に固定する構成としたことに特徴がある。
【００３１】
具体的に説明すると、ＩＣタグ１０の本体部１０ａは、硬質樹脂部材（プラスチック）などの全体が薄肉の四角型状に構成されており、その両側面部には、一対のワイヤガイド１１、１２を、本体部１０ａの挿通孔１３、１４にそれぞれ貫通させた状態で固設している。これら一対のワイヤガイド１１、１２は、内部が中空となった棒状部材であり、このワイヤガイド１１、１２に形成された通孔１５、１６の内部をワイヤ２０が挿通する構成となっている。ここで、ワイヤ２０には、強度が強靭で柔軟な特性を備えたステンレスワイヤが使用される。
【００３２】
［ＩＣタグ１０の取り付け手順］
次に、図２〜図５を用いて、図１に示したＩＣタグ１０の取り付け手順の詳細について説明する。図２〜図５は、ＩＣタグ１０の取り付け手順（１）〜（４）を示す説明図である。
【００３３】
すなわち、図２（１）に示すように、先ず、ワイヤ２０の一方の先端部を、ＩＣタグ本体部１０ａの一方側（図２の右側の上方）に位置するワイヤガイド１１の先端内部（通孔１５）に挿通させ、このようにワイヤ２０の先端部をワイヤガイド１１の通孔１５に挿通させた状態で、ペンチなどを使用して、ワイヤガイド１１の先端部を圧着させ、このワイヤ２０の先端部をワイヤガイド１１の先端部にカシメ付け固定する。
【００３４】
次に、図３（２）に示すように、一方がワイヤガイド１１の先端部に固定された他方のワイヤ２０を管理対象物の取り付け部材１に巻き付けるとともに、その先端部を下側のワイヤガイド１２の通孔１６内に挿通させ、このようにワイヤガイド１２の内部に挿通させたワイヤ２０の一端部をＩＣタグ本体部１０ａの下側に設けたワイヤガイド１２の通孔１６を通じて、他方側（図３の左側の下方）のワイヤガイド１２から引き出し、この引き出したワイヤ２０を取り付け部材２に巻き付ける。
【００３５】
次に、図４（３）に示すように、取り付け部材２に巻き付けたワイヤ２０の先端部を、他方側（図４の左側の上方）に位置するワイヤガイド１１の通孔１５内に挿通させた状態で、ペンチなどを使用して、このワイヤガイド１１の先端部を圧着させ、ワイヤ２０をワイヤガイド１１の先端部にカシメ付け固定する。
【００３６】
次に、図５（４）によりＩＣタグ１０の位置調整を含めたＩＣタグ１０の取り付け手順を説明する。すなわち、図５は、管理対象物に固定したＩＣタグ１０の固定位置を調整する手順を示している。
【００３７】
すなわち、図５に示すように、ＩＣタグ１０の両側面側に設けられた一対のワイヤガイド１１、１２を所定の部位で折り曲げて屈曲させた形状とすることで、このＩＣタグ１０の取り付け位置を管理対象物やＩＣタグ１０の取り付け部位に障害物がある場合には、この障害物の位置に応じて調整することができる。
【００３８】
具体的に説明すると、ワイヤガイド１１、１２は、中空管となっているため、容易に所定の部位で容易に折り曲げることができ、ワイヤガイド１１、１２を屈曲させずらすことで、ＩＣタグ１０の取り付け位置を調整することができる。これにより、管理対象物の大きさやＩＣタグ１０との位置関係が変化した場合でも、このＩＣタグ１０の取り付けを柔軟に且つ、確実に行なうことができる。
【００３９】
以上説明した図２〜図５に示した取り付け手順（１）〜（４）により、ＩＣタグ１０を管理対象物に固設された２つの取り付け部材１、２を利用して、このＩＣタグ１０を管理対象物の所定の位置に取り付け固定することができる。なお、このように管理対象物に取り付け固定されたＩＣタグ１０を管理対象物から取り外す時には、ワイヤ２０を専用のカッターなどを使用して切断することで行なう。
【００４０】
ここで、上述した図２〜図５によるＩＣタグの取り付け手順では、ワイヤガイド１１、１２の先端部とワイヤ２０との固定は、ペンチなどでカシメ付け固定する構成としているが、これに限らずその他、ワイヤ２０をゴム部材（ゴムヒモ）などにより形成し、ゴムヒモ形状のワイヤをワイヤガイド１１、１２の先端部に固定する場合に、ワイヤガイド１１、１２の通孔１５、１６に挿入させたワイヤ２０を楔を使用して固定するようにしてもよい。
【００４１】
また、同じくワイヤをゴムヒモ形状とし、例えば、ワイヤガイド１１の先端部にゴムヒモをワイヤの長さ寸法分巻回した構成とし、この巻回したゴムヒモを引き出してワイヤガイド１１、１２の通孔１５、１６に挿通させる構成としてもよい。
【００４２】
以上、本実施例１で説明したＩＣタグの取り付け構造によれば、ＩＣタグ１０の本体部１０ａの両側面の上下位置から延出する一対のワイヤガイド１１、１２の一端部にワイヤ２０の両端部をカシメ付け固定し、ワイヤ２０の他端部は、一対のワイヤガイド１１、１２の通孔１５、１６を挿通させることでループ状（リング型）とする。
【００４３】
そして、このループ状となったワイヤ２０を管理対象物の取り付け部材１、２に巻き付け、これら取り付け部材１、２との間でＩＣタグ１０を締結し、取り付け部材１、２間に張設されたワイヤ２０によりＩＣタグ１０を管理対象物の所定の位置に固定し、これにより、ＩＣタグ１０を管理対象物の所定の位置に固定する構成としているので、ＩＣタグ１０を常時、管理対象物の所定の位置に正確に固定することができる。
【００４４】
［タイヤホイールに対するＩＣタグの取り付け例］
図６は、本実施例１で示したＩＣタグの取り付け構造を自動車のタイヤホイールに適用した例を示している。ここで、図６は、ホイールカバーを外した状態のタイヤホイール３０の斜視図であり、このタイヤホイール３０にＩＣタグ１０を取り付ける例を示している。
【００４５】
図６に示すように、ＩＣタグ１０は、タイヤホイール３０を構成する５個のスポーク部３１〜３５のうちの２個のスポーク部（スポーク部３１、３４）をワイヤ２０の取り付け部材として利用することで、ＩＣタグ１０をタイヤホイール３０の所定の位置（図６の例では、スポーク部３５の位置）に取り付け固定することができる。
【００４６】
すなわち、ＩＣタグ１０をタイヤホイール３０に固定する場合、スポーク部３１、３４に対して、ＩＣタグ１０のワイヤガイド１１、１２からそれぞれ延出させたワイヤ２０をループ状に巻き付け、このＩＣタグ１０をスポーク部３１とスポーク部３４間で締結することにより、このＩＣタグ１０をタイヤホイール３０の所定の位置（スポーク部３５）に取り付け固定することができる。
【００４７】
このように、ＩＣタグ１０を自動車のタイヤホイール３０に取り付けた場合、例えば、タイヤホイール３０のハブ３６を取り付けるための５本のネジ３７を締め付け固定した情報（製造工程の履歴情報）を取得することができる。
【００４８】
具体的には、ネジ３７の締結を検知するスイッチを内部に設けた電動ドライバを使用するとともに、このネジ３７の締結時に検出されるスイッチのＯＮ信号（電波信号）をＩＣタグ１０の受信部（図示せず）で取得し、この取得時のカウント（ネジ３７の締結本数のカウント）によりネジ３７の締結を取得し、これにより製造工程などを管理することができる。
【実施例２】
【００４９】
次に、図７を用いて実施例２に係るＩＣタグの取り付け構造について説明する。前述した実施例１では、管理対象物に対するワイヤ２０によるＩＣタグ１０の固定部位を２箇所（取り付け部材１および取り付け部材２）とする取り付け構造を示しているが、本実施例２では、管理対象物に対するワイヤ２０によるＩＣタグ１０Ａの固定部位を複数箇所（図７では、３箇所）としていることに特徴がある。
【００５０】
すなわち、図７に示すように、ＩＣタグ１０Ａは、ＩＣタグ本体部１０ａの両側面の所定位置（上下位置）から延出する一対のワイヤガイド１１ａ、１２ａのうちのワイヤガイド１１ａをほぼ９０度屈曲させた形状としており、これにより、ＩＣタグ１０の両側に位置する取り付け部１、２以外に、別の取り付け部３側にもワイヤ２０をループ状に巻き付け固定する構成としている。本実施例２に係るＩＣタグの取り付け構造の場合、３つの取り付け部材１〜３を利用することができるため、ＩＣタグ１０Ａの取り付け固定をより正確な位置とすることができる。
【実施例３】
【００５１】
次に、図８を用いて実施例３に係るＩＣタグホルダの取り付け構造について説明する。図８は、ＩＣタグホルダ４０にＩＣタグ１０を収納自在とした状態を示す図である。ここで、前述した実施例１、２では、ＩＣタグ１０の本体部１０ａにワイヤ２０の両端部を固定するワイヤガイド１１、１２を直接設ける構成としているが、本実施例３では、ＩＣタグ１０を内部に収納するＩＣタグホルダ４０にワイヤガイド１１、１２を設け、このＩＣタグホルダ４０を管理対象物の所定の位置に取り付け固定することに特徴がある。
【００５２】
すなわち、同図に示すように、ＩＣタグホルダ４０は、全体が四角形状の箱型の本体部４１により構成され、このＩＣタグホルダ４０の内部には、ＩＣタグ１０を着脱自在に収納するタグ収納部４２が形成されている。また、ＩＣタグホルダ４０の本体部４１の所定位置（上下位置）には、一対のワイヤガイド１１、１２が設けられており、これらワイヤガイド１１、１２を利用してワイヤ２０を固定する。
【００５３】
ここで、ＩＣタグホルダ４０に設けたワイヤガイド１１、１２は、ワイヤ２０の一端部（先端部）の固定およびワイヤ２０を取り付け部材１、２間で張設する機能を備えるものとしているが、ワイヤガイド１１、１２は、このような結線ガイド部材としての機能の他、無線通信を行なうアンテナや給電、メモリなどの機能を備える部材として兼用することとしてもよい。
【００５４】
以上説明したように、本実施例３のＩＣタグホルダの取り付け構造では、ＩＣタグホルダ４０にワイヤ２０をループ状とするワイヤガイド１１を設ける構成とともに、このＩＣタグホルダ４０にＩＣタグ１０を収納する構成としているので、ＩＣタグ１０を内部に収納したＩＣタグホルダ４０を、管理対象物の所定の位置に固定することができるとともに、特に、ＩＣタグ１０が故障した場合などに、このＩＣタグ１０の交換を容易に行なうことができる。
【実施例４】
【００５５】
次に、図９および図１０を用いて実施例４に係るＩＣタグホルダの取り付け構造について説明する。図９は、ＩＣタグホルダ５０ＢにＩＣタグ１０ｂを収納した状態を、図１０は、ＩＣタグホルダ５０ＢからＩＣタグ１０ｂを取り出した状態をそれぞれ示す図である。ここで、本実施例４では、ＩＣタグホルダ５０ＢのＩＣタグホルダ本体部５１に形成された空間部５３に、ＩＣタグ１０ｂの不正な取り出しを防止する鍵機構６０を設けたことに特徴がある。
【００５６】
すなわち、同図に示すように、ＩＣタグホルダ５０ＢのＩＣタグホルダ本体部５１には、両側面側に一対のワイヤガイド１１、１２を設けるとともに、ＩＣタグホルダ本体部５１の空間部５３の所定位置（タグ収納部５２の上部奥側）には、鉤部６１と押圧バネ６２とを有する鍵機構６０が設けらている。一方、ＩＣタグホルダ５０Ｂのタグ収納部５２に収納されるＩＣタグ１０ｂの所定位置（上側）には、鍵機構６０の鉤部６１と係合する係合凹部１８が形成されている。
【００５７】
以上のように構成されるＩＣタグホルダ５０Ｂにおいて、鍵機構６０の鉤部６１の先端部とＩＣタグ１０ｂの係合凹部１８とが係合することでで、タグ収納部５２の内部にＩＣタグ１０ｂを収納するとともに、このＩＣタグ１０ｂが鍵機構６０の解錠なく取り出すことを防止するべく内部に固定することができる。
【００５８】
一方、図１０に示すように、ＩＣタグ１０ｂの交換などにより、このＩＣタグ１０ｂをＩＣタグホルダ５０Ｂから取り外す時には、キー（鍵）を使用して、鍵孔５４に鍵を使用して、反時計方向に回すと、鍵機構６０の鉤部６１が押圧バネ６２の押圧力に抗して回動することで、鍵機構６０の鉤部６１の先端部と、係合凹部１８との係合が解錠され、ＩＣタグホルダ５０ＢからＩＣタグ１０ｂを取り出すことができる。
【００５９】
以上説明したように、本実施例４のＩＣタグホルダの取り付け構造によれば、ＩＣタグ１０ｂを収納するＩＣタグホルダ５０Ｂにループ状とするワイヤ２０によりＩＣタグ１０ｂを固定するワイヤガイド１１、１２を設けるとともに、ＩＣタグホルダ５０Ｂには鍵機構６０が設ける構成としているので、ＩＣタグ１０ｂを収納したＩＣタグホルダ５０Ｂを管理対象物の所定の位置に固定することができるとともに、ＩＣタグホルダ５０Ｂに設けられた鍵機構６０により、不正なＩＣタグ１０ｂの取り出しを確実に防止することができる。
【００６０】
以上の実施例を含む実施形態に関し、さらに以下の付記を開示する。
【００６１】
（付記１）管理対象物に関する所定の管理情報を記憶する記憶部を備えた非接触型記憶媒体と、
前記非接触型記憶媒体を構成する本体部の少なくとも２箇所の上下位置にそれぞれ設けられた一対の結線ガイド部材と、
前記一対の結線ガイド部材を介して、前記非接触型記憶媒体を前記管理対象物の所定の部位に固定する結線部材と、
を備えたことを特徴とする非接触型記憶媒体の取り付け構造。
【００６２】
（付記２）前記結線ガイド部材の径寸法は、前記結線部材の径寸法よりも大きな径寸法を有する中空状の棒状部材であることを特徴とする付記１に記載の非接触型記憶媒体の取り付け構造。
【００６３】
（付記３）前記結線ガイド部材は、アンテナ部材により構成されることを特徴とする付記１または２に記載の非接触型記憶媒体の取り付け構造。
【００６４】
（付記４）前記結線部材は、任意の方向に屈曲自在な材料で形成されることを特徴とする付記１、２または３に記載の非接触型記憶媒体の取り付け構造。
【００６５】
（付記５）前記結線部材は、前記結線ガイド部材を介して、前記管理対象物の所定部位に２以上のループまたは半ループを形成するように取り付けられることを特徴とする付記１〜４の何れか一つに記載の非接触型記憶媒体の取り付け構造。
【００６６】
（付記６）管理対象物に関する所定の管理情報を記憶部に記憶する非接触型記憶媒体と、
前記非接触型記憶媒体を内部に収納する非接触型記憶媒体ホルダの少なくとも２箇所にそれぞれ設けられた一対の結線ガイド部材と、
前記一対の結線ガイド部材を介して、前記非接触型記憶媒体ホルダを前記管理対象物の所定の部位に固定する結線部材と、
を備えたことを特徴とする非接触型記憶媒体ホルダの取り付け構造。
【００６７】
（付記７）前記結線ガイド部材の径寸法は、前記結線部材の径寸法よりも大きな径寸法を有する中空状の棒状部材であることを特徴とする付記６に記載の非接触型記憶媒体ホルダの取り付け構造。
【００６８】
（付記８）前記結線ガイド部材は、アンテナ部材により構成されることを特徴とする付記６または７に記載の非接触型記憶媒体ホルダの取り付け構造。
【００６９】
（付記９）前記結線ガイド部材は、任意の方向に屈曲自在な材料で形成されることを特徴とする付記６、７または８に記載の非接触型記憶媒体ホルダの取り付け構造。
【００７０】
（付記１０）前記結線部材は、前記結線ガイド部材を介して、前記管理対象物の所定部位に２以上のループまたは半ループを形成するように取り付けられることを特徴とする付記６〜９の何れか一つに記載の非接触型記憶媒体ホルダの取り付け構造。
【００７１】
（付記１１）前記非接触型記憶媒体を内部に収納する非接触型記憶媒体ホルダの所定位置には、当該非接触型記憶媒体の不正な着脱を防止する鍵機構が設けられることを特徴とする付記６〜１０の何れか一つに記載の非接触型記憶媒体ホルダの取り付け構造。
【産業上の利用可能性】
【００７２】
本発明は、管理対象物の大きさや非接触型記憶媒体との位置関係が変化した場合でも、この非接触型記憶媒体の取り付けを柔軟に且つ、確実に行なうことができる非接触型記憶媒体の取り付け構造として効果的である。
【図面の簡単な説明】
【００７３】
【図１】実施例１に係るＩＣタグおよびＩＣタグの取り付け構造を示す説明図である。
【図２】ＩＣタグの取り付け手順を示す説明図である（１）。
【図３】ＩＣタグの取り付け手順を示す説明図である（２）。
【図４】ＩＣタグの取り付け手順を示す説明図である（３）。
【図５】ＩＣタグの取り付け手順を示す説明図である（４）。
【図６】ＩＣタグの取り付け例を示す説明図である。
【図７】実施例２に係るＩＣタグの構成を示す図である。
【図８】実施例３に係るＩＣタグホルダの構成を示す図である。
【図９】実施例４に係るＩＣタグホルダの構成を示す図である。
【図１０】図９に示したＩＣタグホルダの鍵の解錠を示す説明図である。
【符号の説明】
【００７４】
１０、１０Ａ  ＩＣタグ
１１、１１ａ、１２、１２ａ  ワイヤガイド
１５、１６  通孔
２０  ワイヤ
３０  タイヤホイール
４０、５０Ｂ  ＩＣタグホルダ
６０  鍵機構
【図１】
0005070076.tif 000002
【図２】
0005070076.tif 000003
【図３】
0005070076.tif 000004
【図４】
0005070076.tif 000005
【図５】
0005070076.tif 000006
【図６】
0005070076.tif 000007
【図７】
0005070076.tif 000008
【図８】
0005070076.tif 000009
【図９】
0005070076.tif 000010
【図１０】
0005070076.tif 000011